(57)【特許請求の範囲】
【請求項１】
建物を奥行方向に複数ブロックに分割し、先ず、施工用のクレーンを敷地の奥側に設置し、１ブロック・１階層のＰＣ柱とハーフＰＣ梁とハーフＰＣ床版を順次、吊り込んでセットしてからパネルゾーンのコンクリートとトップコンクリートを同時に打設するまでの工程を繰り返して、建物の奥側のブロックの１階から所定階までを施工し、次いで、施工用のクレーンを敷地の表側に移動し、同様に前記工程を繰り返して、建物の次のブロックの１階から所定階までを施工し、以下、同様にして、所定規模のＰＣ造建物を構築するようにし、そして、その各ブロックの施工時に、一側縁部に足場として利用できるフルＰＣ部を設けるとともに、このフルＰＣ部にＰＣ柱サポート用のアンカーボルトを埋設したハーフＰＣ床版を、柱際に設置し、このハーフＰＣ床版のフルＰＣ部を利用して、パネルゾーンのコンクリートとトップコンクリートの材令が１日程度の早い段階で上階のＰＣ柱の建方を始めて、建物全体の工期の短縮を図るようにしたことを特徴とする狭小敷地適用ＰＣ造建物構築方法。
【請求項２】
断面形状がＬ形，Ｔ形，十字形のＰＣ柱を使用する請求項１記載の狭小敷地適用ＰＣ造建物構築方法。
【発明の詳細な説明】
【０００１】
【発明が属する技術分野】
本発明は、狭小敷地適用のＰＣ造建物の構築方法に関するものである。
【０００２】
【従来の技術】
従来の大規模ＰＣ造建物の構築は、施工用のクレーンを建物の敷地外に置き、１階層毎にクレーンを横移動させながら施工を行うのが一般的であるが、都会等で両隣に建物等が建っているような狭小な敷地の場合は、クレーンの走行スペースがないので、このような施工態様を採ることができない。
【０００３】
【発明が解決しようとする課題】
本発明が解決しようとする課題（本発明の目的）は、前述のような従来技術が適用できない場合に、能率良く、所定規模のＰＣ造建物を構築することができる狭小敷地適用ＰＣ造建物構築方法を提供することにある。
【０００４】
【課題を解決するための手段】
前記課題を解決するために、本発明の狭小敷地適用ＰＣ造建物構築方法（以下、本発明の方法という）では、建物を奥行方向に複数ブロックに分割し、先ず、施工用のクレーンを敷地の奥側に設置し、１ブロック・１階層のＰＣ柱とハーフＰＣ梁とハーフＰＣ床版を順次、吊り込んでセットしてからパネルゾーンのコンクリートとトップコンクリートを同時に打設するまでの工程を繰り返して、建物の奥側のブロックの１階から所定階までを施工し、次いで、施工用のクレーンを敷地の表側に移動し、同様に前記工程を繰り返して、建物の次のブロックの１階から所定階までを施工し、これを繰り返して、所定規模のＰＣ造建物を構築するようにし、そして、その各ブロックの施工時に、一側縁部に足場として利用できるフルＰＣ部を設けるとともに、このフルＰＣ部にＰＣ柱サポート用のアンカーボルトを埋設したハーフＰＣ床版を、柱際に設置し、このハーフＰＣ床版のフルＰＣ部を利用して、パネルゾーンのコンクリートとトップコンクリートの材令が１日程度の早い段階で上階のＰＣ柱の建方を始めて、建物全体の工期の短縮を図るようにしている。
【０００５】
なお、本発明の方法では、断面形状がＬ形，Ｔ形，十字形のＰＣ柱を使用することがある。
【０００６】
【発明の実施の形態】
以下、本発明の方法の一実施態様を図面に基づいて説明すると、図１において、１は奥側と左右両隣に構造物等が建てられている狭小な敷地、２は敷地１に構築される奥行側４スパン×間口側２スパンでグリッド数が８の建物である。
【０００７】
建物２はＰＣ造で構築されるが、その施工は、建物２を奥行方向に４つのブロックＡ，Ｂ，Ｃ，Ｄに分け、奥側のブロックＡから始めてブロックＢ，ブロックＣ，ブロックＤの順でなされる。
【０００８】
そして、ブロックＡの施工は、敷地の奥寄りの地点３に設置したクレーンにより、ＰＣ柱４，５，６とハーフＰＣ梁７とハーフＰＣ床版８，９を順次、吊り込んでセットしてから、パネルゾーンのコンクリート１０とトップコンクリート１１を同時に打設するまでの工程を１サイクルとし（図２，図３参照）、これを１階から所定階まで順次、繰り返す、という態様で行う。
【０００９】
ブロックＡの施工が済んだら、クレーンを表側の地点１２に移し、ブロックＡの場合と同様に前記工程を繰り返して、ブロックＢの１階から所定階までの施工を行い、以下、ブロックＣ，ブロックＤも同様に施工して、建物２の躯体を完成させる。
【００１０】
なお、図示の場合は、横１列の２つのグリットを１ブロックとしているが、クレーンの能力が大きい場合は、例えば、横２列の４つのグリッドを１ブロックにしても勿論構わない。
【００１１】
前記説明から明らかなように、本発明の方法は、いわゆる建て逃げ方式を採用することにより、狭小な敷地におけるＰＣ造建物の構築を可能にしたものであるが、その施工能率は、各ブロックにおける施工において、下階の施工が終わってから上階の施工に移るまでの時間に大いに左右され、下階の施工において打設したコンクリートの強度が大きくなるまで上階のＰＣ柱の建方を待つとすると、大巾に工期が長くなる、という問題点がある。
【００１２】
そこで、本発明の方法では、前記問題点を解消するために、図２，３に示すように、柱際に設置されるハーフＰＣ床版８の一側縁部に足場として利用できるフルＰＣ部１３を設けるとともに、このフルＰＣ部１３にＰＣ柱サポート用のアンカーボルト１４を埋設し、このハーフＰＣ床版８のフルＰＣ部１３を利用して、同時に打設したパネルゾーンのコンクリート１０とトップコンクリート１１の材令が１日程度の早い段階で上階層のＰＣ柱の建方を始めて、建物全体の工期の短縮を図るようにしている。
【００１３】
フルＰＣ部１３の巾は例えば１００ｃｍ程度であり、ハーフＰＣ床版８のハーフＰＣ部とハーフＰＣ床版９に打設されたトップコンクリート１１が未硬化の状態でも、作業員がこのフルＰＣ部１３の上を歩いて作業を行うことができる。
【００１４】
そして、上階のＰＣ柱４，５，６の建方は、その下端の一部を支承材１５を介してハーフＰＣ床版８のフルＰＣ部１３の上に載せ、フルＰＣ部１３に埋設されたアンカーボルト１４を利用して取り付けられるサポート（図示しない）で各ＰＣ柱４，５，６を直交する２方向から確りと仮保持し、この状態で上階と下階の各ＰＣ柱４，５，６の対応する柱主筋１６相互を接合金物１７を介して接合する、という態様でなされるが、これら作業はパネルゾーンのコンクリート１０の強度の増大を待つことなく、その材令が１日程度の早い段階で行うことができる。
【００１５】
なお、図示のＰＣ柱４，５，６はそれぞれ断面がＬ形，Ｔ形，十字形であり、これに伴い、長方形のハーフＰＣ梁７の巾はその端部が支持されるＰＣ柱４，５，６の各フランジの巾に等しくされているが、このようにすると、柱や梁で建物の内部空間に突出部が形成されない。
【図面の簡単な説明】
【図１】本発明の方法が適用される建物の配置態様を例示した平面図である。
【図２】１ブロック・１階層のＰＣ材の配置態様を示す一部省略の平面図である。
【図３】図２の一部拡大断面図である。
【符号の説明】
１：敷地、２：建物、３：地点、４：ＰＣ柱、５：ＰＣ柱、６：ＰＣ柱、７：ハーフＰＣ梁、８：ハーフＰＣ床版、９：ハーフＰＣ床版、１０：コンクリート、１１：トップコンクリート、１２：地点、１３：フルＰＣ部、１４：アンカーボルト、１５：支承材、１６：柱主筋、１７：接合金物。
【図１】
0004273446.tif 000002
【図２】
0004273446.tif 000003
【図３】
0004273446.tif 000004